(57)【特許請求の範囲】
【請求項１】
関連するネットワークエンティティから、それぞれのデータ・ストリームに対応するストリーム単位コーディング・レートと、それぞれの空間レイヤに対応するレイヤ単位変調方式とを受信することと、
複数の発信データ・ストリームと、前記複数の発信データ・ストリームを通信するように構成された空間レイヤのセットとを識別することと、
前記複数の発信データ・ストリームに関連する前記それぞれのストリーム単位コーディング・レートに基づいて、前記複数の発信データ・ストリームを符号化し、それによって、複数の符号化データ・ストリームを取得することと、
前記複数の符号化データ・ストリームを、空間レイヤの前記セットのうちのそれぞれの空間レイヤにマッピングし、それによって、レイヤ・マッピングされたデータ・ストリームのセットを取得することと、
レイヤ・マッピングされたデータ・ストリームの前記セットを、前記それぞれの空間レイヤに対応する前記レイヤ単位変調方式に基づいて変調することと、
を備える方法。
【請求項２】
空間レイヤの前記セットが、それぞれの関連するアンテナに対応する請求項１に記載の方法。
【請求項３】
空間レイヤの前記セットが複数の関連するアンテナ上で規定されたそれぞれのビームに対応する請求項１に記載の方法。
【請求項４】
前記受信することが、前記それぞれのストリーム単位コーディング・レートと前記それぞれのレイヤ単位変調方式とを、前記関連するネットワークエンティティからのアップリンク・グラント・メッセージ中で受信することをさらに備える請求項１に記載の方法。
【請求項５】
前記受信することが、少なくとも１つの発信データ・ストリームのストリーム単位コーディング・レートと、空間レイヤの前記セットのうちの少なくとも１つの空間レイヤのレイヤ単位変調方式とに対応する、変調及びコーディング方式（ＭＣＳ）情報を受信することを含む請求項１に記載の方法。
【請求項６】
前記受信することが、空間レイヤの前記セットのうちの少なくとも１つの指定された空間レイヤの変調方式と、空間レイヤの前記セットのうちの残りの空間レイヤの相対変調方式情報とを受信することを備える請求項１の方法。
【請求項７】
前記相対変調方式情報が、それぞれの１ビットパラメータを備える請求項６に記載の方法。
【請求項８】
前記それぞれの１ビットパラメータが、空間レイヤの前記セットのうちの少なくとも１つの指定された空間レイヤの変調次数、または空間レイヤの前記セットのうちの少なくとも１つの指定された空間レイヤの前記変調次数よりも小さい所定の程度の変調次数からなるグループから選択された変調次数を示す請求項７に記載の方法。
【請求項９】
前記受信することが、少なくとも１つの指定された発信データ・ストリームのコーディング・レートと、残りの発信データ・ストリームの相対コーディング・レート情報とを受信することを備える請求項１に記載の方法。
【請求項１０】
前記複数の発信データ・ストリームがシングル・コードワード伝送方式に対応する請求項１に記載の方法。
【請求項１１】
前記複数の発信データ・ストリームがマルチ・コードワード伝送方式に対応する請求項１に記載の方法。
【請求項１２】
ワイヤレス通信装置であって、
複数の発信データ・ストリームと、前記複数の発信データ・ストリームを通信するように構成された空間レイヤのセットとに関係するデータを記憶するメモリと、
プロセッサであって、
関連するネットワークエンティティから、それぞれの発信データ・ストリームに対応するストリーム単位コーディング・レートと、それぞれの空間レイヤに対応するレイヤ単位変調方式とを受信し、
前記複数の発信データ・ストリームを、前記複数の発信データ・ストリームに関連する前記それぞれのストリーム単位コーディング・レートに基づいて符号化して、複数の符号化データ・ストリームを取得し、
前記複数の符号化データ・ストリームを空間レイヤの前記セットのうちのそれぞれの空間レイヤにマッピングして、レイヤ・マッピングされたデータ・ストリームのセットを取得し、
前記それぞれの空間レイヤに対応する前記レイヤ単位変調方式に基づいて、レイヤ・マッピングされたデータ・ストリームの前記セットを変調する
ように構成されたプロセッサと、
を備えるワイヤレス装置。
【請求項１３】
空間レイヤの前記セットが、それぞれの関連するアンテナのうちの少なくとも１つ、または複数の関連するアンテナ上で規定されたそれぞれのビームに対応する請求項１２に記載のワイヤレス通信装置。
【請求項１４】
前記プロセッサが、少なくとも１つの発信データ・ストリームのストリーム単位コーディング・レートと、空間レイヤの前記セットのうちの少なくとも１つの空間レイヤのレイヤ単位変調方式とに対応する、変調及びコーディング方式（ＭＣＳ）情報を受信するようにさらに構成された請求項１２に記載のワイヤレス通信装置。
【請求項１５】
前記プロセッサが、空間レイヤの前記セットのうちの少なくとも１つの指定された空間レイヤの変調方式と、空間レイヤの前記セットのうちの残りの空間レイヤの相対変調方式情報とを受信するようにさらに構成された請求項１２に記載のワイヤレス通信装置。
【請求項１６】
前記プロセッサが、少なくとも１つの指定された発信データ・ストリームのコーディング・レートと、残りの発信データ・ストリームの相対コーディング・レート情報とを受信するようにさらに構成された請求項１２に記載のワイヤレス通信装置。
【請求項１７】
関連するネットワークエンティティから、それぞれのデータ・ストリームに対応するストリーム単位コーディング・レート・パラメータと、それぞれの空間レイヤに対応するレイヤ単位変調パラメータとを受信するための手段と、
データ・ストリームを、前記データ・ストリームに関連する対応するストリーム単位コードレート・パラメータに基づいて符号化して、それぞれの符号化データ・ストリームを取得するための手段と、
前記それぞれの符号化データ・ストリームを空間レイヤのセットにマッピングして、それぞれのレイヤ・マッピングされたデータ・ストリームを取得するための手段と、
前記レイヤ・マッピングされたデータ・ストリームを、対応するレイヤ単位変調パラメータに基づいて変調するための手段と、
を備える装置。
【請求項１８】
受信するための前記手段が、前記ストリーム単位コードレート・パラメータと前記レイヤ単位変調パラメータとを、前記関連するネットワークエンティティからのアップリンク・グラント・メッセージ中で受信するための手段を備える請求項１７に記載の装置。
【請求項１９】
受信するための前記手段が、少なくとも１つのデータ・ストリームのストリーム単位コードレート・パラメータと、少なくとも１つの空間レイヤのレイヤ単位変調パラメータとに対応する、変調及びコーディング方式（ＭＣＳ）情報を受信するための手段を備える請求項１７に記載の装置。
【請求項２０】
受信するための前記手段が、少なくとも１つの指定された空間レイヤの変調パラメータと、前記指定された空間レイヤとは異種のそれぞれの空間レイヤの相対変調パラメータとを受信するための手段を備える請求項１７に記載の装置。
【請求項２１】
受信するための前記手段が、少なくとも１つの指定されたデータ・ストリームのコードレート・パラメータと、それぞれの残りのデータ・ストリームの相対コードレート・パラメータとを受信するための手段を備える請求項１７に記載の装置。
【請求項２２】
コンピュータに、関連するネットワークエンティティから、それぞれのデータ・ストリームに対応するストリーム単位コーディング・レート・パラメータと、それぞれの空間レイヤに対応するレイヤ単位変調パラメータとを受信することを行わせるためのコードと、
コンピュータに、データ・ストリームを、前記データ・ストリームに関連する対応するストリーム単位コードレート・パラメータに基づいて符号化して、それぞれの符号化データ・ストリームを取得することを行わせるためのコードと、
コンピュータに、前記それぞれの符号化データ・ストリームを空間レイヤのセットにマッピングして、それぞれのレイヤ・マッピングされたデータ・ストリームを取得することを行わせるためのコードと、
コンピュータに、前記レイヤ・マッピングされたデータ・ストリームを、対応するレイヤ単位変調パラメータに基づいて変調させるためのコードと、
を記録したコンピュータ読み取り可能な記録媒体。
【請求項２３】
コンピュータに受信させるための前記コードが、コンピュータに、前記ストリーム単位コードレート・パラメータと前記レイヤ単位変調パラメータとを、前記関連するネットワークエンティティからのアップリンク・グラント・メッセージ中で受信させるためのコードを備える請求項２２に記載のコンピュータ読み取り可能な記録媒体。
【請求項２４】
コンピュータに受信させるための前記コードが、コンピュータに、少なくとも１つのデータ・ストリームのストリーム単位コードレート・パラメータと、少なくとも１つの空間レイヤのレイヤ単位変調パラメータとに対応する、変調及びコーディング方式（ＭＣＳ）情報を受信させるためのコードを備える請求項２２に記載のコンピュータ読み取り可能な記録媒体。
【請求項２５】
コンピュータに受信させるための前記コードが、コンピュータに、少なくとも１つの指定された空間レイヤの変調パラメータと、前記指定された空間レイヤとは異種のそれぞれの空間レイヤの相対変調パラメータとを受信させるためのコードを備える請求項２２に記載のコンピュータ読み取り可能な記録媒体。
【請求項２６】
コンピュータに受信させるための前記コードが、コンピュータに、少なくとも１つの指定されたデータ・ストリームのコードレート・パラメータと、それぞれの残りのデータ・ストリームの相対コードレート・パラメータとを受信させるためのコードを備える請求項２２に記載のコンピュータ読み取り可能な記録媒体。
【発明の詳細な説明】
【技術分野】
【０００１】
本開示は、一般にワイヤレス通信に関し、より詳細には、ワイヤレス通信環境内で搬送される情報について変調及び空間レイヤ・マッピングを行うための技法に関する。
【０００２】
相互参照
本出願は、２００９年２月１１日に出願された「Single Codeword with Different Modulation for Different Layers」と題する米国仮出願第６１／１５１，７８１号、及び２００９年３月２１日に出願された「UPLINK SINGLE USER MULTIPLE-INPUT MULTIPLE-OUTPUT (SU-MIMO) SYSTEMS」と題する米国仮出願第６１／１６２，２７１号の利益を主張する。これらの出願の全体は、参照により本明細書に組み込まれる。
【背景技術】
【０００３】
ワイヤレス通信システムは、様々な通信サービスを提供するために広く展開されており、そのようなワイヤレス通信システムを介して、例えば、ボイス、ビデオ、パケットデータ、ブロードキャスト、及びメッセージング・サービスを提供することができる。これらのシステムは、利用可能なシステムリソースを共有することによって複数の端末のための通信をサポートすることが可能な多元接続システムとすることができる。そのような多元接続システムの例には、符号分割多元接続（ＣＤＭＡ）システム、時分割多元接続（ＴＤＭＡ）システム、周波数分割多元接続（ＦＤＭＡ）システム、及び直交周波数分割多元接続（ＯＦＤＭＡ）システムがある。
【０００４】
概して、ワイヤレス多元接続通信システムは、複数のワイヤレス端末のための通信を同時にサポートすることができる。そのようなシステムでは、各端末は、順方向リンク及び逆方向リンク上の送信を介して１つまたは複数の基地局と通信することができる。順方向リンク（またはダウンリンク）とは、基地局から端末への通信リンクを指し、逆方向リンク（またはアップリンク）とは、端末から基地局への通信リンクを指す。この通信リンクは、単入力単出力（ＳＩＳＯ）、多入力単出力（ＭＩＳＯ）、または多入力多出力（ＭＩＭＯ）システムを介して確立され得る。
【０００５】
様々なワイヤレス通信デバイスは、関連するネットワーク環境内での通信のために、シングルユーザＭＩＭＯ（ＳＵ−ＭＩＭＯ）及び／または他の好適な通信方式を利用するように構成され得る。例えば、ワイヤレス通信デバイスが複数のアンテナを有する場合、デバイスは、例えば、物理アンテナ、ビーム、及び／または物理アンテナ上に画定される他の適切な構成体などに対応する空間レイヤのセットを介して、ＳＵ−ＭＩＭＯに従って、関連するネットワークにデータを送信するように構成され得る。
【０００６】
従来、一般的な変調は、ＳＵ−ＭＩＭＯに従って所与のデバイスによって送信される情報に適用される。しかしながら、（例えば、アンテナ品質不平衡などにより）それぞれのレイヤ間の品質不平衡が存在するとき、通信される情報の不平衡な信頼性のせいで、パフォーマンス劣化が生じることがあることが諒解できよう。したがって、改善された信頼性をもつ複数の空間レイヤにわたる情報の伝送を可能にするための技法を実装することが望ましいであろう。
【０００７】
以下で、請求する主題の様々な態様の基本的理解を与えるために、そのような態様の簡略化された概要を提示する。この概要は、すべての企図された態様の包括的な概観ではなく、主要または重要な要素を識別するものでも、そのような態様の範囲を定めるものでもない。その唯一の目的は、後で提示するより詳細な説明の導入として、開示する態様のいくつかの概念を簡略化された形で提示することである。
【発明の概要】
【０００８】
一態様によれば、方法が本明細書で説明される。本方法は、１つまたは複数の発信データ・ストリームと、その１つまたは複数の発信データ・ストリームを通信するように構成された空間レイヤのセットとを識別することと、１つまたは複数の発信データ・ストリームに関連するそれぞれのストリーム単位コーディング・レートに基づいて、１つまたは複数の発信データ・ストリームを符号化し、それによって、１つまたは複数の符号化データ・ストリームを取得することと、１つまたは複数の符号化データ・ストリームを、空間レイヤのセットのうちのそれぞれの空間レイヤにマッピングし、それによって、レイヤ・マッピングされたデータ・ストリームのセットを取得することと、レイヤ・マッピングされたデータ・ストリームのセットを、それぞれのレイヤ単位変調方式に基づいて変調することとを備えることができる。
【０００９】
本明細書で説明する第２の態様は、１つまたは複数の発信データ・ストリームと、その１つまたは複数の発信データ・ストリームを通信するように構成された空間レイヤのセットとに関係するデータを記憶するメモリを備えることができるワイヤレス通信装置に関する。本ワイヤレス通信装置は、上記１つまたは複数の発信データ・ストリームを、上記１つまたは複数の発信データ・ストリームに関連するそれぞれのストリーム単位コーディング・レートに基づいて符号化して、１つまたは複数の符号化データ・ストリームを取得し、１つまたは複数の符号化データ・ストリームを空間レイヤのセットのうちのそれぞれの空間レイヤにマッピングして、レイヤ・マッピングされたデータ・ストリームのセットを取得し、それぞれのレイヤ単位変調方式に基づいて、レイヤ・マッピングされたデータ・ストリームのセットを変調するように構成されたプロセッサをさらに備えることができる。
【００１０】
第３の態様は、それぞれのデータ・ストリームを、そのそれぞれのデータ・ストリームに関連する対応するストリーム単位コードレート・パラメータに基づいて符号化して、それぞれの符号化データ・ストリームを取得するための手段と、それぞれの符号化データ・ストリームを空間レイヤのセットにマッピングして、それぞれのレイヤ・マッピングされたデータ・ストリームを取得するための手段と、それぞれのレイヤ・マッピングされたデータ・ストリームを、対応するレイヤ単位変調パラメータに基づいて変調するための手段とを備えることができる装置に関する。
【００１１】
本明細書で説明する第４の態様は、コンピュータに、それぞれのデータ・ストリームを、そのそれぞれのデータ・ストリームに関連する対応するストリーム単位コードレート・パラメータに基づいて符号化して、それぞれの符号化データ・ストリームを取得することを行わせるためのコードと、コンピュータに、それぞれの符号化データ・ストリームを空間レイヤのセットにマッピングして、それぞれのレイヤ・マッピングされたデータ・ストリームを取得することを行わせるためのコードと、コンピュータに、それぞれのレイヤ・マッピングされたデータ・ストリームを、対応するレイヤ単位変調パラメータに基づいて変調させるためのコードとを備える、コンピュータ可読媒体を含むことができるコンピュータ・プログラム製品に関する。
【００１２】
第５の態様によれば、関連するネットワーク・デバイスと、その関連するネットワーク・デバイスによって利用される通信方式に関連する１つまたは複数のコードワードと、上記関連するネットワーク・デバイスによって採用されるそれぞれの空間レイヤとを識別することと、上記関連するネットワーク・デバイスに対応する、それぞれのレイヤ単位変調パラメータとコードワード単位コードレート・パラメータとを定義することと、それぞれのレイヤ単位変調パラメータとコードワード単位コードレート・パラメータとを、関連するネットワーク・デバイスにシグナリングすることとを備えることができる方法が本明細書で説明される。
【００１３】
本明細書で説明する第６の態様は、ネットワーク・デバイスに関するデータと、そのネットワーク・デバイスによって利用される通信方式に関連する１つまたは複数のコードワードと、上記ネットワーク・デバイスによって採用されるそれぞれの空間レイヤとを記憶するメモリを備えることができる、ワイヤレス通信装置に関する。本ワイヤレス通信装置は、上記ネットワーク・デバイスに対応する、それぞれのレイヤ単位変調パラメータとコードワード単位コードレート・パラメータとを定義し、それぞれのレイヤ単位変調パラメータとコードワード単位コードレート・パラメータとをネットワーク・デバイスにシグナリングするように構成されたプロセッサをさらに備えることができる。
【００１４】
第７の態様は、指定されたネットワーク・デバイスのレイヤ単位変調パラメータのセットとコードワード単位コーディング・レート・パラメータのセットとを定義するための手段と、レイヤ単位変調パラメータのセットとコードワード単位コーディング・レート・パラメータのセットとを指定されたネットワーク・デバイスにシグナリングするための手段とを備えることができる装置に関する。
【００１５】
本明細書で説明する第８の態様は、コンピュータに、指定されたネットワーク・デバイスのレイヤ単位変調パラメータのセットとコードワード単位コーディング・レート・パラメータのセットとを定義させるためのコードと、コンピュータに、レイヤ単位変調パラメータのセットとコードワード単位コーディング・レート・パラメータのセットとを指定されたネットワーク・デバイスにシグナリングさせるためのコードとを備えるコンピュータ可読媒体を含むことができるコンピュータ・プログラム製品に関する。
【００１６】
上記及び関係する目的を達成するために、請求する主題の１つまたは複数の態様は、以下で十分に説明し、特に特許請求の範囲で指摘する特徴を備える。以下の説明及び添付の図面に、請求する主題のいくつかの例示的な態様を詳細に記載する。ただし、これらの態様は、請求する主題の原理を採用することができる様々な方法のほんのいくつかを示すものである。さらに、開示する態様は、すべてのそのような態様及びそれらの均等物を含むものとする。
【図面の簡単な説明】
【００１７】
【図１】様々な態様による、ワイヤレス通信システム内で通信される情報について、コードワード単位符号化及びレイヤ単位変調を協調させるためのシステムのブロック図。
【図２】様々な態様による、シングル・コードワード伝送方式による通信のためのデータを準備するための様々なシステムを示すブロック図。
【図３】様々な態様による、シングル・コードワード伝送方式による通信のためのデータを準備するための様々なシステムを示すブロック図。
【図４】様々な態様による、マルチ・コードワード伝送方式による通信のためのデータを準備するための様々なシステムを示すブロック図。
【図５】様々な態様による、マルチ・コードワード伝送方式による通信のためのデータを準備するための様々なシステムを示すブロック図。
【図６】様々な態様による、ワイヤレス通信システム内で変調及びコーディング・パラメータをシグナリングするためのシステムのブロック図。
【図７】様々な態様による、ワイヤレス通信システム内で変調及びコーディング・パラメータをシグナリングするためのシステムのブロック図。
【図８】ワイヤレス通信デバイスに関連するそれぞれの空間レイヤ上での伝送のための信号を生成するための方法の流れ図。
【図９】ワイヤレス通信システム内でレイヤ単位変調情報とコードワード単位コーディング情報とをシグナリングするための方法の流れ図。
【図１０】ワイヤレス通信システム内でレイヤ単位変調情報とコードワード単位コーディング情報とをシグナリングするための方法の流れ図。
【図１１】ワイヤレス通信ネットワークにおいて通信されるデータの改善された変調及びレイヤ・マッピングを可能にする装置のブロック図。
【図１２】ワイヤレス通信ネットワークにおいて通信されるデータの改善された変調及びレイヤ・マッピングを可能にする装置のブロック図。
【図１３】本明細書で説明する様々な態様を実装するために利用され得るワイヤレス通信デバイスのブロック図。
【図１４】本明細書で説明する様々な態様を実装するために利用され得るワイヤレス通信デバイスのブロック図。
【図１５】本明細書に記載の様々な態様によるワイヤレス多元接続通信システムを示す図。
【図１６】本明細書で説明する様々な態様が機能することができる、例示的なワイヤレス通信システムを示すブロック図。
【発明を実施するための形態】
【００１８】
次に、図面を参照しながら請求する主題の様々な態様について説明する。図面全体にわたって、同様の要素を指すのに同様の参照符号を使用する。以下の記述では、説明の目的で、１つまたは複数の態様の完全な理解を与えるために多数の具体的な詳細を記載する。ただし、そのような（１つまたは複数の）態様は、これらの具体的な詳細なしに実施でき得ることは明らかであろう。他の例では、１つまたは複数の態様の説明を円滑にするために、よく知られた構造及びデバイスをブロック図の形態で示す。
【００１９】
本出願で使用する「構成要素」、「モジュール」、「システム」などの用語は、ハードウェア、ファームウェア、ハードウェアとソフトウェアの組合せ、ソフトウェア、または実行中のソフトウェアなど、コンピュータ関連のエンティティを指すものとする。例えば、構成要素は、プロセッサ上で実行されるプロセス、集積回路、オブジェクト、実行可能ファイル、実行スレッド、プログラム、及び／またはコンピュータとすることができるが、これらに限定されない。例として、コンピューティング・デバイス上で実行されるアプリケーションと、そのコンピューティング・デバイスの両方を構成要素とすることができる。１つまたは複数の構成要素がプロセス及び／または実行スレッド内に常駐することができ、１つの構成要素を１つのコンピュータ上に配置し、及び／または２つ以上のコンピュータ間に分散することができる。さらに、これらの構成要素は、様々なデータ構造を記憶している様々なコンピュータ可読媒体から実行することができる。これらの構成要素は、１つまたは複数のデータ・パケット（例えば、ローカル・システム、分散システム内、及び／または他のシステムを用いるインターネットなどのネットワーク全体の中の別の構成要素と信号を介して相互作用する１つの構成要素からのデータ）を有する信号によるなど、ローカル及び／またはリモートプロセスを介して通信することができる。
【００２０】
さらに、本明細書ではワイヤレス端末及び／または基地局に関する様々な態様について説明する。ワイヤレス端末は、ユーザにボイス及び／またはデータ接続性を提供するデバイスを指すことができる。ワイヤレス端末は、ラップトップ・コンピュータまたはデスクトップ・コンピュータなどのコンピューティング・デバイスに接続することができ、あるいは携帯情報端末（ＰＤＡ）などの自蔵式デバイスとすることができる。ワイヤレス端末はまた、システム、加入者ユニット、加入者局、移動局、モバイル、リモート局、アクセス・ポイント、リモート端末、アクセス端末、ユーザ端末、ユーザエージェント、ユーザデバイス、またはユーザ機器（ＵＥ）と呼ばれることがある。ワイヤレス端末は、加入者局、ワイヤレスデバイス、セルラー電話、ＰＣＳ電話、コードレス電話、セッション開始プロトコル（ＳＩＰ）電話、ワイヤレス・ローカルループ（ＷＬＬ）局、携帯情報端末（ＰＤＡ）、ワイヤレス接続機能を有するハンドヘルド・デバイス、またはワイヤレス・モデムに接続された他の処理デバイスとすることができる。基地局（例えば、アクセス・ポイントまたはノードＢ）は、１つまたは複数のセクタを通って、エア・インターフェースを介してワイヤレス端末と通信する、アクセス・ネットワーク中のデバイスを指すことができる。基地局は、受信したエア・インターフェース・フレームをインターネット・プロトコル（ＩＰ）パケットに変換することによって、ワイヤレス端末と、ＩＰネットワークを含むことができるアクセス・ネットワークの残部との間のルータとして働くことができる。基地局はまた、エア・インターフェースの属性の管理を調整する。
【００２１】
その上、本明細書で説明する様々な機能は、ハードウェア、ソフトウェア、ファームウェア、またはそれらの組合せで実装できる。ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、ある場所から別の場所へのコンピュータ・プログラムの転送を可能にする任意の媒体を含む、コンピュータ記憶媒体とコンピュータ通信媒体の両方を含む。記憶媒体は、コンピュータによってアクセスできる利用可能な媒体とすることができる。限定ではなく、例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージ・デバイス、あるいは命令またはデータ構造の形態の所望のプログラム・コードを担持または記憶するために使用でき、コンピュータによってアクセスできる、任意の他の媒体を備えることができる。また、いかなる接続もコンピュータ可読媒体と適切に呼ばれる。例えば、ソフトウェアが、同軸ケーブル、光ファイバケーブル、ツイストペア、デジタル加入者回線（ＤＳＬ）、または赤外線、無線、及びマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、及びマイクロ波などのワイヤレス技術は、媒体の定義に含まれる。本明細書で使用するディスク（disk）及びディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）及びブルーレイディスク（disc）（ＢＤ）を含み、ディスク（disk）は、通常、データを磁気的に再生し、ディスク（disc）は、データをレーザで光学的に再生する。上記の組合せもコンピュータ可読媒体の範囲内に含めるべきである。
【００２２】
本明細書で説明する様々な技法は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリアＦＤＭＡ（ＳＣ−ＦＤＭＡ）システム、及び他のそのようなシステムなど、様々なワイヤレス通信システムに対して使用できる。「システム」及び「ネットワーク」という用語は、本明細書ではしばしば互換的に使用される。ＣＤＭＡシステムは、Universal Terrestrial Radio Access（ＵＴＲＡ）、ＣＤＭＡ２０００などの無線技術を実装することができる。ＵＴＲＡは、Ｗｉｄｅｂａｎｄ−ＣＤＭＡ（Ｗ−ＣＤＭＡ）及びＣＤＭＡの他の変形態を含む。さらに、ＣＤＭＡ２０００は、ＩＳ−２０００、ＩＳ−９５及びＩＳ−８５６規格をカバーする。ＴＤＭＡシステムはGlobal System for Mobile Communications（ＧＳＭ（登録商標））などの無線技術を実装することができる。ＯＦＤＭＡシステムは、Evolved UTRA(E-UTRA)、Ultra Mobile Broadband（ＵＭＢ）、ＩＥＥＥ８０２．１１（ＷｉＦｉ）、ＩＥＥＥ８０２．１６（ＷｉＭＡＸ）、ＩＥＥＥ８０２．２０、Ｆｌａｓｈ−ＯＦＤＭなどの無線技術を実装することができる。ＵＴＲＡ及びＥ−ＵＴＲＡは、Universal Mobile Telecommunication System（ＵＭＴＳ）の一部である。3GPP Long Term Evolution（ＬＴＥ）は、ダウンリンク上ではＯＦＤＭＡを採用し、アップリンク上ではＳＣ−ＦＤＭＡを採用するＥ−ＵＴＲＡを使用する今度のリリースである。ＵＴＲＡ、Ｅ−ＵＴＲＡ、ＵＭＴＳ、ＬＴＥ及びＧＳＭは、「3rd Generation Partnership Project」（３ＧＰＰ）と称する組織からの文書に記載されている。さらに、ＣＤＭＡ２０００及びＵＭＢは、「3rd Generation Partnership Project 2」（３ＧＰＰ２）と称する組織からの文書に記載されている。
【００２３】
いくつかのデバイス、構成要素、モジュールなどを含むことができるシステムに関して、様々な態様を提示する。様々なシステムは、追加のデバイス、構成要素、モジュールなどを含み、及び／または各図に関連して説明するデバイス、構成要素、モジュールなどの一部もしくは全部を省略し得ることを理解及び諒解されたい。これらの手法の組合せを使用することもできる。
【００２４】
次に図面を参照すると、図１に、本明細書で説明する様々な態様による、ワイヤレス通信システム内で通信される情報について、コードワード単位符号化及びレイヤ単位変調を協調させるためのシステム１００が示されている。図１に示すように、システム１００は、１つまたは複数のユーザ機器ユニット（ＵＥ；本明細書では、アクセス端末（ＡＴ）、モバイル端末などとも呼ばれる）１２０と通信することができる１つまたは複数のノードＢ（本明細書では、ネットワークセル、基地局、アクセス・ポイント（ＡＰ）、進化型ノードＢ（ｅＮＢ）などとも呼ばれる）１１０を含むことができる。例えば、ＵＥ１２０は、ノードＢ１１０との１つまたは複数のアップリンク（ＵＬ、本明細書では逆方向リンク（ＲＬ）とも呼ばれる）通信に関与することができ、同様に、ノードＢ１１０は、ＵＥ１２０への１つまたは複数のダウンリンク（ＤＬ、本明細書では順方向リンク（ＦＬ）とも呼ばれる）通信に関与することができる。追加または代替として、ノードＢ１１０及び／またはＵＥ１２０は、互いとの、システム１００中のデバイスまたはエンティティとの、ならびに／あるいは任意の他の好適なエンティティとの任意の好適な（１つまたは複数の）通信に関与することができる。
【００２５】
一態様によれば、ＵＥ１２０は、ノードＢ１１０及び／または他のネットワーク・エンティティと通信するために、マルチランク・マルチアンテナ伝送方式及び／または他の好適な伝送方式を利用することができる。例えば、ＵＥ１２０は、１つまたは複数のエンコーダ１２２、レイヤ・マッパー１２４、及び／または変調器１２６を利用して、システム１００内での送信のための情報を準備することができる。一例では、１つまたは複数のコードワード（例えば、最高２つのコードワード）を使用して、ＵＥ１２０によって送信が行われ得る。追加または代替として、ハイブリッド自動再送要求（ＨＡＲＱ）パラメータ及び／または他の好適なパラメータの空間バンドリングを可能にするために、ＵＥ１２０によってレイヤ・シフティング（またはレイヤ置換）が利用され得る。例えば、時間領域中でレイヤ・シフティングを使用することによって、それぞれのコードワードを経時的に複数のレイヤにわたるように構成することができる。コードワードが複数のレイヤにわたるとき、コードワードは空間ダイバーシティから恩恵を被り得ることが諒解できよう。しかしながら、このようにして実行されるレイヤ・シフティングは、例えば、複数のレイヤが強い信号対雑音比（ＳＮＲ）不平衡を有するときなどに、パフォーマンス・ロスをもたらし得ることがさらに諒解できよう。したがって、このパフォーマンス・ロスを緩和するために、及び／または他の適切な目的を達成するために、ノードＢ１１０及びＵＥ１２０は、本明細書で説明するように、それぞれのレイヤの間のＳＮＲ不平衡に関連する影響を克服するように動作することができる。
【００２６】
従来、コードレート、変調次数などに関係する情報を含み得る、変調及びコーディング方式（ＭＣＳ）は、それぞれのストリーム（例えば、コーディングされたデータのストリーム）に関連する。例えば、シングル・コードワード・システムが１つのストリームと１つの対応するＭＣＳとを利用し、マルチ・コードワード・システムが複数のストリームと対応するＭＣＳとを利用するような、コードワード単位でＭＣＳの割当てを行うことができる。さらに、所与のストリームについてのＭＣＳによって与えられる情報に基づいて、そのストリームを（例えば、ＭＣＳによる変調及びコーディングを介して）指定されたＭＣＳに関連付けることができる。その後、コードワード対レイヤ・マッピングを実行して、（例えば、物理アンテナ、ビーム・フォーミングを介して形成されたビーム、及び／または複数の物理アンテナにわたる他のプロセスなどに対応する）空間レイヤのセットに、それぞれの処理されたコードワードをマッピングすることができる。次いで、レイヤ・マッピングされたデータを、送信のためにそれぞれの空間レイヤに対応する（１つまたは複数の）アンテナに供給することができる。上記の一例が図２のシステム２００によってシングル・コードワード・システムについて示されている。図２に示すように、発信データ・ストリームは、レイヤ・マッパー２３０を介してレイヤ・マッピングを実行する前に、そのデータ・ストリームに対応するすべてのレイヤのために共通のＭＣＳを利用することができるエンコーダ２１０及び変調器２２０によって処理され得る。一例では、レイヤ・マッパー２３０は、例えば、空間レイヤの関連するセットにわたるコードワードを回転させることによって、それぞれのコードワードに対応するデータをマッピングすることができる。
【００２７】
システム２００によって示されるものなど、一般的な変調方式は、各関連するレイヤ上で同量のコーディングされたビットを効果的に搬送することが諒解できよう。さらに、そのような方式は、十分なコーディング及びインターリーブが利用され、それぞれのレイヤが品質において比較的平衡しているとすれば、妥当なパフォーマンスを与え得ることが諒解できよう。しかしながら、レイヤ・マッパー２３０に関連するレイヤ間に実質的な品質不平衡が存在する場合、システム２００によって示される一般的な変調方式は、それぞれの復調されたコーディングされたビットの不平衡な信頼性のためにパフォーマンスが劣化するという欠点があり得ることが諒解できよう。
【００２８】
より詳細には、モバイル・デバイス及び／または他の好適な通信デバイスに関連するそれぞれの空間レイヤは、ＳＮＲ、信号対干渉雑音比（ＳＩＮＲ）、及び／または様々な理由による他の品質メトリックにおいて実質的なオフセットを受け得ることが諒解できよう。例えば、モバイル・デバイスに関連するアンテナが、電力、品質、及び／または他のファクタにおいて等しくない場合（例えば、モバイル・デバイスが、実質的に大きい利得をもつ外部アンテナと、より小さい利得をもつ内部アンテナとを利用するときなど）、各関連するアンテナに同じ電力増幅器（ＰＡ）パラメータを適用すると、それぞれアンテナの間の異なる利得及び／または他の不平衡により、それらのアンテナからのノードＢ及び／または他の受信エンティティにおける受信エネルギーの値が異なることになる。
【００２９】
別の例として、固有ビーム・フォーミングを介してアップリンク及び／またはダウンリンクビーム・フォーミングを行う場合、例えば、主固有成分ならびに１つまたは複数の副固有成分を取得するために、固有分解を使用して、モバイル・デバイスに関連するチャネル行列を処理することができる。アンテナ強度、アンテナ相関、及び／または他のファクタが異なるために、主固有成分が（１つまたは複数の）副固有成分よりも強くなるような有意な程度の変動性が固有成分間に存在し得ることが諒解できよう。したがって、レイヤ／アンテナ・マッピングに関係する上記で説明したシナリオと同様の方法で、空間レイヤがそれぞれのビームにマッピングされるシナリオでは、信号不平衡が存在し得る。
【００３０】
モバイル・デバイス及びそのそれぞれの関連するアンテナのパフォーマンスを最大にするために、ＳＩＮＲと一致する方法でモバイル・デバイスの変調次数を選択すると、高いパフォーマンスが得られることが諒解できよう。例えば、高いＳＩＮＲに対して比較的低い変調次数を選択すると、観測されたチャネル強度によってサポートされる伝送効率を下回る伝送効率が得られることができることが諒解できよう。同様に、低いＳＩＮＲに対して比較的高い変調次数を選択すると、低減されたコーディング効率が得られることが諒解できよう。具体的な例として、所与のストリーム上でサポートされるスペクトル効率が１ビット／秒／Ｈｚであり、（チャネル使用当たり６ビットに対応する）６４ＱＡＭなどの直交振幅変調（ＱＡＭ）コンスタレーションが使用される場合、チャネルのスペクトル効率を超えるのを回避するために１／６のコーディング・レートが必要になる。しかしながら、概して、１／６よりも高いコードレートに関連するコーディング方式（例えば、レート１／３のターボエンコーダ）が利用される場合、場合によっては、変調次数に基づいて関連するチャネルに必要なコードレートを与えるために、コードレートを低下させるための反復コーディング及び／または他の手段が必要になり、それにより通信パフォーマンスが悪影響を受けることがある。
【００３１】
図１に戻ると、一態様によれば、ＵＥ１２０は、本明細書で説明するコードワード単位コーディング及びレイヤ単位変調を利用することによって、少なくとも上記で説明したような従来のＭＩＭＯプロシージャの欠点を克服することができる。例えば、ＵＥ１２０は、（例えば、シングル・コードワード伝送方式及び／またはマルチ・コードワード伝送方式に対応する）１つまたは複数の発信データ・ストリームと、その１つまたは複数の発信データ・ストリームを通信するように構成された（例えば、それぞれの関連するアンテナ、複数の関連するアンテナにわたって規定されたそれぞれのビームなどに対応する）空間レイヤのセットとを識別することができる。次いで、ＵＥ１２０は、１つまたは複数のエンコーダ１２２を利用して、それぞれの符号化データ・ストリームを取得するために、１つまたは複数の発信データ・ストリームに関連するそれぞれのストリーム単位コーディング・レートに基づいて、１つまたは複数の発信データ・ストリームを符号化することができる。次いで、エンコーダ１２２によって生成された１つまたは複数の符号化データ・ストリームを、レイヤ・マッピングされたデータ・ストリームのセットを取得するために、空間レイヤの関連するセットのうちのそれぞれの空間レイヤに（例えば、（１つまたは複数の）レイヤ・マッパー１２４などによって）マッピングすることができる。最後に、そのレイヤ・マッピングされたデータ・ストリームのセットを、それぞれのレイヤ単位変調方式に基づいて（例えば、（１つまたは複数の）変調器１２６を介して）変調することができる。
【００３２】
シングル・コードワード伝送方式のための上記のデータ・ストリーム処理手順の例示的な実装形態が、図３にシステム３００によって示されている。システム３００に示すように、発信データ・ストリームがエンコーダ２１０によって処理され得、その後、変調器２２０によるレイヤ単位変調より前に、レイヤ・マッパー２３０によってレイヤ・マッピングが実行され得る。したがって、図２のシステム２００とは対照的に、システム３００は、異なる空間レイヤにわたる異なる変調方式の採用を可能にし、それによって、上記で説明した不平衡なレイヤ信頼性によるパフォーマンス劣化が緩和されることが諒解できよう。具体的な例として、第１の層が第２の層よりも著しく強い２レイヤ・システムでは、システム３００は、第１の層のために高次変調を使用し、第２の層のために低次変調を使用することを可能にする。このようにして、受信機において平衡な信頼性とともに、対応するコーディングされたビットを復調し得ることが諒解できよう。
【００３３】
再び図１を参照すると、システム１００のＵＥ１２０は、ノードＢ１１０及び／または別の関連するネットワーク・エンティティから、それぞれのストリーム単位コーディング・レートもしくはコードワード単位コーディング・レート、レイヤ単位変調方式及び／または他の関係する情報を受信することができる。そのような情報は、ノードＢ１１０からのアップリンク・グラント・メッセージ中で、及び／またはシステム１００内の任意の他の好適なシグナリング内で与えられ得る。一態様によれば、ノードＢ１１０は、１つまたは複数のＵＥ１２０が使用するためのそれぞれのパラメータを以下の方法で判断することができる。最初に、ノードＢ１１０は、（例えば、ＵＥ１２０にあるそれぞれのアンテナ、またはＵＥ１２０にある複数のアンテナ上で規定されたビームのうちの少なくとも１つに対応する）関連するＵＥ１２０及び／または他の好適なネットワーク・デバイスと、ＵＥ１２０によって利用される通信方式に関連する１つまたは複数のコードワードと、ＵＥ１２０によって採用されるそれぞれの空間レイヤとを識別する。次いで、ノードＢ１１０は、ＵＥ１２０に対応するそれぞれのレイヤ単位変調パラメータ１１２及びコードワード単位コードレート・パラメータ１１４を定義し、（例えば、パラメータ・シグナリング・モジュール１１６及び／または他の好適な手段を使用して）それぞれのレイヤ単位変調パラメータ１１２及びコードワード単位コードレート・パラメータ１１４をＵＥ１２０にシグナリングする。一例では、パラメータ・シグナリング・モジュール１１６は、ＵＥ１２０へのレイヤ単位変調パラメータ１１２及び／またはコードワード単位コードレート・パラメータ１１４をアップリンク・グラント・メッセージ中でＵＥ１２０に伝達することができる。
【００３４】
一態様によれば、システム１００内のノードＢ１１０及び／または別の好適なエンティティは、本明細書で説明する様々な方法で、１つまたは複数のＵＥ１２０のレイヤ単位変調パラメータ１１２及び／またはコードワード単位コードレート・パラメータ１１４を判断するように動作することができる。ＵＥ１２０に対応するパラメータを取得するために利用され得る技法の様々な例が本明細書で提供され得るが、そのような例は、本明細書で請求される主題の範囲を限定するものではなく、別段に明記されていない限り、本明細書に添付された特許請求の範囲は、特定の技法または技法の組合せを必要とするものではないことを諒解されたい。
【００３５】
シングル・コードワード伝送と、コードワードがマッピングされるべき（本明細書では、レイヤまたは物理レイヤ１、ならびにレイヤまたは物理レイヤ２と呼ばれる）２つの物理レイヤのセットに関与する、第１の特定の非限定的な例として、それぞれのレイヤ単位変調パラメータ１１２及び／またはコードワード単位コードレート・パラメータ１１４は、以下の方法で判断され得る。初めに、ＳＮＲ1が物理レイヤ１の信号対雑音比を示すとし、ＳＮＲ2が物理レイヤ２の信号対雑音比を示すとする。次に、それぞれの物理レイヤ上で利用すべき変調次数を判断するために、以下手法が適用され得る。最初に（例えば、当技術分野で一般に知られている様々な方法で生成される）関連するＭＣＳテーブルをＳＮＲ1について検査して、対応する変調次数Ｑ1と、変調次数Ｑ1をレイヤ１に使用することができるようなトランスポートブロック（ＴＢ）サイズＣ1とを発見する。次に、そのＭＣＳテーブルをＳＮＲ2について検査して、対応する変調次数Ｑ2と、変調次数Ｑ2をレイヤ２に使用することができるようなＴＢサイズＣ2を発見する。
【００３６】
上記に基づいて、Ｃ1及びＣ2から有効ＴＢサイズを次のように判断することができる。コードワードを配信するためにレイヤ１とレイヤ２の両方を同時に採用するとき（例えば、シングル・コードワードの場合）、有効ＴＢサイズはＣeff＝（Ｃ1＋Ｃ2）として表され得る。代替的に、コードワードからのコーディングされたビットを配信するためにレイヤ１とレイヤ２とを交互に使用するとき、レイヤ１が、コードワードをトランスポートするための総時間の部分ｆ1部分についてアクティブあり、レイヤ２が、コードワードをトランスポートするための総時間の部分ｆ2部分についてアクティブである場合、有効ＴＢサイズはＣeff＝（ｒｏｕｎｄ）（ｆ1×Ｃ1＋ｆ2×Ｃ2）／（ｆ1＋ｆ2）として表され得る。さらに、物理レイヤ１上でコードワードを送るために利用可能な変調シンボルの総数を示すためにＮs1を使用し、物理レイヤ２上でコードワードを送るために利用可能な変調シンボルの総数を示すためにＮs2を使用する場合、レート整合ビットの最終数はＮs1×Ｑ1＋Ｎs2×Ｑ2として表され得る。
【００３７】
別の態様によれば、上記で説明した様々な技法は、上記で説明したシングル・コードワード・システムにそれらを適用するのと同様に、マルチ・コードワード・システムに拡張され得る。例えば、図４のシステム４００によって示されるように、マルチ・コードワード伝送方式は、それぞれの変調器２２０によって個々に変調され、レイヤ・マッパー２３０を介して空間レイヤのセットにマッピングされ得る、複数の発信データ・ストリームに対して、それぞれのエンコーダ２１０を利用することができる。さらに、上記で説明したレイヤ信号不平衡に関連する欠点を克服するために、図５のシステム５００に示すように、それぞれのレイヤ単位変調器２２０を介した変調より前にレイヤ・マッパー２３０を介したレイヤ・マッピングが行われる、レイヤ単位変調及びコードワード単位コーディングを適用することができる。システム４００〜５００は、２つのデータ・ストリームと、２つの対応するコードワードとを利用するシステムを示しているが、本明細書で説明する技法は、任意の数のデータ・ストリーム及び／またはコードワードを利用するシステムに拡張され得ることを諒解されたい。
【００３８】
マルチ・コードワード伝送の特定の場合、関連する受信機は、場合によっては、第１のコードワードの復号を試み、成功した場合、第１のコードワードを再符号化し、第２のコードワードを取得するために受信信号から第１のコードワードを減算するように構成された逐次消去（successive cancellation）受信機及び／または別の好適な受信機であり得る。したがって、第１のコードワードを復号すると、その第１のコードワードが、第２のコードワードに対して、第２のコードワードの品質を改善するために除去され得る干渉として効果的に作用することにより、第２のコードワードをより高い品質で受信することができることが諒解できよう。このために、第１のコードワードが後続のコードワードにより有効干渉チャネルを通過し、第１のコードワードが除去されると後続のコードワードが著しく少ない干渉を受けるように、コードワードが効果的に異なるチャネルを通過しているとき、マルチ・コードワード・システム中のそれぞれのコードワードに異なるＭＣＳがしばしば適用されることが、さらに諒解できよう。しかしながら、チャネル・フェージング及び／または他のファクタにより、従来、上記の逐次消去利得にもかかわらず、それぞれのコードワードにレイヤ・マッピングが適用される。したがって、マルチ・コードワード方式は、シングル・コードワード方式と同様に、本明細書で説明する技法の恩恵を被り得ることが諒解できよう。
【００３９】
再び図１を参照すると、本明細書で概して説明するレイヤ単位変調及びコードワード単位コーディングを可能にするために、ノードＢ１１０は、それぞれのコードワードのためのコードレート、ならびにそれぞれのレイヤに適用されるべき変調方式を、（例えば、アップリンク・グラントを介して）ＵＥ１２０に伝達することができることが諒解できよう。一例では、これは、実質的にすべてのレイヤの全コーディング・レート及び変調方式の直接シグナリングによって、各レイヤの全コーディング・レート及び変調方式が導出され得るような十分な情報をシグナリングすることによって、ならびに／あるいは任意の他の好適な方法で達成され得る。これらの目的を果たすために、ノードＢ１１０からＵＥ１２０にメッセージを送る際に、以下の方法のうちの１つまたは複数で、シグナリング情報を符号化することができる。ただし、以下の説明は例にすぎず、請求する主題は、別段に明記されていない限り、具体的な例に限定されるものではないことを諒解されたい。
【００４０】
第１の例では、Ｍを整数（例えば、５）として、ＵＥ１２０によって利用されるレイヤごとに、個々のＭビットＭＣＳインデックスを送信することができる。そのような例では、ＵＥ１２０に送信されるＭＣＳインデックスは、既存のＭＣＳテーブルに基づくことができる。
【００４１】
第２の例では、Ｓビット最強レイヤ・インデックスと組み合わせて、最強レイヤのコーディング・レート及び変調方式を示すためのＭビットＭＣＳインデックスを送信することができる。一例では、最強レイヤ・インデックスに使用されるビット数Ｓは、ｃｅｉｌ（ｌｏｇ2（ＮｕｍｂｅｒＯｆＬａｙｅｒｓ））によって表すことができ、式中、ｃｅｉｌ（）はシーリング演算を表す。代替的に、最強レイヤ・インデックスは、固定レイヤのコーディング・レート及び変調方式を示すＭビットＭＣＳインデックスを与えることによって省略され得る。さらに、そのようなレイヤの変調方式を示すために、各残りのレイヤのＱビット変調方式インデックスを与えることができる。一例では、ビット数Ｑは、ｃｅｉｌ（ｌｏｇ2（ＮｕｍｂｅｒＯｆＵｐｌｉｎｋＭｏｄｕｌａｔｉｏｎＳｃｈｅｍｅｓ））に等しくなり得る。代替的に、実質的にすべての残りのレイヤの変調方式のジョイントコーディングを実行することができる。そのような例では、ＵＥ１２０に送信されるＭＣＳインデックスは、既存のＭＣＳテーブルに基づくことができる。
【００４２】
第３の例では、Ｓビット最強レイヤ・インデックスと組み合わせて、最強レイヤのコーディング・レート及び変調方式を示すためのＭビットＭＣＳインデックスを送信することができる。代替的に、最強レイヤ・インデックスは、固定レイヤのコーディング・レート及び変調方式を示すＭビットＭＣＳインデックスを与えることによって省略され得る。さらに、各残りのレイヤのＭＣＳを示すために、各残りのレイヤのＮビットデルタＭＣＳインデックスを与えることができる。そのような例では、ＵＥ１２０に送信されるＭＣＳインデックスは、既存のＭＣＳテーブルに基づくことができる。
【００４３】
第４の例では、ノードＢ１１０は、実質的にすべてのレイヤに使用されるコードワード及び変調方式のための有効コーディング・レートを、ＵＥ１２０にシグナリングすることができる。一例では、このようにして送信されるコードレート及び変調方式を一緒にコーディングすることができる。
【００４４】
さらなる態様によれば、マルチ・コードワード伝送に関与する例示的な実装形態では、各コードワードが経時的に複数のレイヤにわたるような時間領域中で、レイヤ・シフティングを実行することができる。上記で説明したように、レイヤ間のＳＮＲ不平衡をなくすために、ノードＢ１１０からＵＥ１２０へのアップリンク・グラント及び／または他のシグナリングは、各コードワードのレイヤ単位の変調次数とともに、各コードワードのコーディング・レートを取得するための情報を伝達することができる。
【００４５】
マルチ・コードワード伝送の場合、様々なシナリオに遭遇し得ることが諒解できよう。例えば、最小平均２乗誤差（ＭＭＳＥ）受信機、及びコードワード単位のすべてのレイヤのほぼ等しいサイクルが採用される場合、実質的にすべてのコードワードは、各空間レイヤにわたって同様の有効チャネル品質を経験することになることが諒解できよう。したがって、複数のコードワードは、同じレイヤ単位の変調方式とともに同じコードレートを有することができ、例えば、（例えば、上記に示した方法のうちの１つまたは複数でシグナリングされる）第１のコードワードのコードレート及び／または変調次数を、他のコードワードにも適用することができる。
【００４６】
別の例では、ＭＭＳＥ受信機が採用されるが、各コードワードが異なるレイヤの等しくないサイクルを経験する場合、複数のコードワード間で有効チャネル品質は異なり得る。これは、例えば、限られた数のシングル・キャリア直交周波数分割多重（ＳＣ−ＯＦＤＭ）シンボルがサブフレーム内に存在するときに、時間領域中のレイヤ・シフティングがＳＣ−ＯＦＤＭシンボル単位で行われる場合に起こり得る。そのような場合、様々なデータの導出を可能にするために、ノードＢ１１０からＵＥ１２０へのアップリンク・グラント及び／または他の好適なシグナリングを構成することができる。このデータは、例えば、レイヤ単位の変調及びコードレート単位のコードワードを含み得る。
【００４７】
一態様によれば、レイヤ単位変調データ及びコードワード単位コードレート・データを様々な方法でシグナリングすることができる。第１の例では、変調及び／またはコードレート・データを明示的にシグナリングすることができる。この技法の一例が図６のシステム６００によって示されており、レイヤ単位変調パラメータ１１２及びコードワード単位コードレート・パラメータ１１４はパラメータ・シグナリング・モジュール１１６を介して明示的にシグナリングされる。システム６００にさらに示すように、レイヤ単位変調パラメータ１１２は、場合によっては、（例えば、関連するネットワーク・デバイスによって採用される）少なくとも１つの指定された空間レイヤの変調方式を示す基準変調パラメータと、その少なくとも１つの指定された空間レイヤとは異種のそれぞれの空間レイヤの（例えば、相対変調シグナリング６１０において与えられる）相対変調パラメータとを含むことができる。このようにして与えられる相対変調シグナリング６１０は、例えば、ネットワーク・デバイスによって採用される少なくとも１つの指定された空間レイヤの変調方式、またはネットワーク・デバイスによって採用される少なくとも１つの指定された空間レイヤの変調方式に関連するコンスタレーションよりも小さい所定の程度のコンスタレーションに関連する変調方式からなるグループから選択される変調方式を示すそれぞれの１ビット値を含むことができる。したがって、図示の例として、指定された空間レイヤが６４ＱＡＭ変調方式を利用する場合、６４ＱＡＭか１６ＱＡＭかを示すために１ビット相対変調シグナリング６１０を利用することができる。システム６００によって示される別の例では、コードワード単位コードレート・パラメータ１１４は、場合によっては、（例えば、関連するネットワーク・デバイスによって利用される通信方式に関連する）少なくとも１つの指定されたコードワードの基準コードレート・パラメータと、その少なくとも１つの指定されたコードワードとは異種のそれぞれのコードワードの（例えば、相対コードレート・シグナリング６２０において与えられる）相対コードレート・パラメータとを含むことができる。一例では、上述した方法でシグナリングされる変調及び／またはコードレート・データを一緒にコーディングすることができる。
【００４８】
レイヤ単位変調データ及びコードワード単位コードレート・データをシグナリングすることができる第２の例示的な技法では、第１の層の変調次数を示すために、第１のＭＣＳ（ＭＣＳ1）をシグナリングすることができ、第ｎのレイヤの変調次数及び第ｎのコードワードのコードレートを示すために、第１のコードワードのコードレート及びそれぞれの追加のＭＣＳ（ＭＣＳn）をシグナリングすることができるように、既存のＭＣＳテーブルを再使用することができる。この技法の一例が図７のシステム７００によって示されている。システム７００に示されるように、（例えば、対応するネットワーク・デバイスによって利用される通信方式に関連する）少なくとも１つのコードワードのコードワード単位コードレート・パラメータ１１４と、（例えば、対応するネットワーク・デバイスによって採用される）少なくとも１つの空間レイヤのレイヤ単位変調パラメータ１１２とを含むＭＣＳ情報（例えば、ＭＣＳシグナリング７１０）は、パラメータ・シグナリング・モジュール１１６及び／または他の好適な手段を介してシグナリングされ得る。一例では、レイヤの数（ｍ）がコードワードの数（ｎ）よりも多い場合、残りの（ｎ−ｍ）個のレイヤ上の変調に対応して、ＭＣＳシグナリング７１０の（ｎ−ｍ）個の要素がシグナリングされ得る。代替的に、残りの（ｎ−ｍ）個のレイヤ上の変調次数をシグナリングするために補足変調パラメータ７２０を利用することができる。例えば、パラメータ・シグナリング・モジュール１１６は、関連するネットワーク・デバイスによって採用される空間レイヤの数が、ネットワーク・デバイスによって利用される通信方式に関連するコードワードの数よりも多いと判断すると、ＭＣＳ情報とともに補足レイヤ単位変調パラメータをシグナリングすることができる。一例では、補足変調パラメータ７２０を一緒にコーディングすることができる。
【００４９】
さらなる態様によれば、ＭＭＳＥ逐次干渉除去（ＭＭＳＥ−ＳＩＣ）受信機が利用される場合、レイヤ・シフティングを用いても、コードワードごとに異なる有効チャネル品質を経験し得る。そのような例では、レイヤ単位変調データ及びコードワード単位コーディング・レートデータを様々な方法でシグナリングすることができる。第１の例では、異なるＭＣＳをコードワード単位で適用することができる。一例では、所与のコードワード内の異なる空間レイヤ間のＳＮＲ不平衡を、ＳＩＣ受信機の適用によって緩和することができる。
【００５０】
第２の例では、アップリンク・グラント及び／または他のシグナリングが、各個のコードワードのレイヤ単位のコードレート及び変調を導出するのに必要な情報を含んでいるような、各コードワードに対して、シングル・コードワードの場合について上記で説明したそれぞれの方式を適用することができる。
【００５１】
第３の例では、コードワードは、同じレイヤ単位の変調方式を共有することができ、コードワードごとに異なるコードレートをシグナリングすることができる。そのような例では、上記で説明した様々な方法でシグナリングを実行することができる。
【００５２】
第４の例では、（例えば、他のコードワードが消去される前に）最初に復号されるべきコードワードについて、上記で説明したそれぞれの方式を利用することができ、コードワードは、それぞれの空間レイヤにわたって異なる変調次数を用いて変調される。それぞれの残りのコードワードについては、コードワード単位の１つのＭＣＳを利用することができ、したがって、コードワードが経験する被干渉チャネルが少なくなり、消去による不平衡が少なくなる。
【００５３】
一態様によれば、変調次数及びコーディング・レート情報を様々な方法で生成することができる。一例では、所与のレイヤの変調次数と、対応するコードワードのコードレートとを担持するように、ＭＣＳ情報を構成することができる。その後、追加のレイヤのレイヤ単位変調次数を示すために補足変調シグナリングを行うことができる。Ｍを、１つのコンスタレーションポイント上で変調され得るビット数に対応する変調次数を示すものとする。したがって、例えば、ＱＰＳＫはＭ＝２に関連付けることができ、１６ＱＡＭはＭ＝４に関連付けることができ、６４ＱＡＭはＭ＝６に関連付けることができ、以下同様である。一例では、変調次数Ｍにコーディング・レートｒcを乗算することによって、様々な実装形態において、Ｒ＝ｒcＭ及び／またはＲ＝２ｒcＭとして、スペクトル効率Ｒを取得することができる。例えば、Ｒ＝ｒcＭはレイヤまたはアンテナ・スイッチングに対応することができ、Ｒ＝２ｒcＭは複数のレイヤを介した同時送信に対応することができる。
【００５４】
一例では、２つのレイヤが関連するデバイスによって採用される場合、上記のスペクトル効率計算を複数の変調次数に適合することができる。したがって、様々な実装形態において、Ｒ＝（１／２）ｒc（Ｍ１＋Ｍ２）及び／またはＲ＝ｒc（Ｍ１＋Ｍ２）として、スペクトル効率を計算することができ、Ｍ１及びＭ２は、それぞれ、レイヤ１及びレイヤ２の変調次数に対応する。したがって、シングル・コードワード方式に関してシグナリングされるＭＣＳは、コーディング・レートｒcを示すことができ、変調次数Ｍ１及び追加情報をシグナリングして（例えば、Ｍ１に関して）Ｍ２を示すことができる。
【００５５】
同様の技法をマルチ・コードワード・システムに利用することができる。例えば、２コードワード・システムの場合、各コードワードのスペクトル効率を、Ｒ１＝ｒ１（Ｍ１＋Ｍ２）／２及びＲ２＝ｒ２（Ｍ１＋Ｍ２）／２と表すことができ、ｒ１及びｒ２は、それぞれ、コードワード１及びコードワード２のコーディング・レートである。したがって、ＭＣＳ１がｒ１及びＭ１を示し、ＭＣＳ２＝ｒ２及びＭ２となるように、２つのＭＣＳ信号ＭＣＳ１及びＭＣＳ２が与られ得る。代替的に、ＭＣＳ１はｒ１及びＭ１を示すことができ、ＭＣＳ２はｒ２及びＭ１を示すことができ、Ｍ２を示すために追加情報がシグナリングされ得る。代替的に、ｒ１、ｒ２、Ｍ１、及びＭ２に関係する情報を任意の他の好適な方法でシグナリングすることができる。
【００５６】
次に図８〜図１０を参照すると、本明細書に記載の様々な態様に従って実行され得る方法が示されている。説明を簡潔にする目的で、方法を一連の行為として図示し説明するが、いくつかの行為は、１つまたは複数の態様によれば、本明細書で図示し説明する順序とは異なる順序で、及び／または他の行為と同時に行われるので、方法は行為の順序によって限定されないことを理解し、諒解されたい。例えば、方法は、状態図など、一連の相互に関連する状態または事象として代替的に表現できることを当業者ならば理解し、諒解するであろう。さらに、１つまたは複数の態様による方法を実装するために、図示のすべての行為が必要とされるわけではない。
【００５７】
図８を参照すると、ワイヤレス通信デバイスに関連するそれぞれの空間レイヤ上での伝送のための信号を生成するための方法８００が示されている。方法８００は、例えば、ＵＥ（例えば、ＵＥ１２０）及び／または任意の他の適切なネットワーク・エンティティによって実行され得ることを諒解されたい。方法８００はブロック８０２において開始し、１つまたは複数の発信データ・ストリームと、その１つまたは複数の発信データ・ストリームを通信するように構成された空間レイヤのセットとを識別する。次に、ブロック８０４において、上記１つまたは複数の発信データ・ストリームに関連するそれぞれのストリーム単位コーディング・レート（例えば、コードワード単位コードレート・パラメータ１１４）に基づいて、上記１つまたは複数の発信データ・ストリームを（例えば、（１つまたは複数の）エンコーダ１２２によって）符号化して、１つまたは複数の符号化データ・ストリームを取得する。ブロック８０６において、ブロック８０４において取得された上記１つまたは複数の符号化データ・ストリームを、ブロック８０２において識別された空間レイヤのセットのうちのそれぞれの空間レイヤに（例えば、（１つまたは複数の）レイヤ・マッパー１２４によって）マッピングして、レイヤ・マッピングされたデータ・ストリームのセットを取得する。次いで、方法８００はブロック８０８において終了し、それぞれのレイヤ単位変調方式（例えば、レイヤ単位変調パラメータ１１２）に基づいて、ブロック８０６において取得されたレイヤ・マッピングされたデータ・ストリームのセットを（例えば、（１つまたは複数の）変調器１２６によって）変調する。
【００５８】
次に図９を参照すると、ワイヤレス通信システム内でレイヤ単位変調情報とコードワード単位コーディング情報とをシグナリングするための方法９００の流れ図が示されている。方法９００は、例えば、ネットワークセル（例えば、ノードＢ１１０）及び／または他の適切なネットワーク・エンティティによって実行され得る。方法９００はブロック９０２において開始し、関連するネットワーク・デバイス（例えば、ＵＥ１２０）と、ネットワーク・デバイスによって利用される通信方式に関連する１つまたは複数のコードワードと、ネットワーク・デバイスによって採用されるそれぞれの空間レイヤとを識別する。次に、ブロック９０４において、ネットワーク・デバイスに対応する、それぞれのレイヤ単位変調パラメータ（例えば、レイヤ単位変調パラメータ１１２）と、コードワード単位コードレート・パラメータ（例えば、コードワード単位コードレート・パラメータ１１４）とを定義する。次いで、方法９００はブロック９０６において終了し、ブロック９０４において定義されたそれぞれのレイヤ単位変調パラメータとコードワード単位コードレート・パラメータとを、ブロック９０２において識別されたネットワーク・デバイスに（例えば、パラメータ・シグナリング・モジュール１１６によって）シグナリングする。
【００５９】
図１０に、ワイヤレス通信システム内でレイヤ単位変調情報とコードワード単位コーディング情報とをシグナリングするための別の方法１０００を示す。方法１０００は、例えば、ｅＮＢ及び／または任意の他の好適なネットワーク・エンティティによって実行され得る。方法１０００はブロック１００２において開始し、ネットワーク・デバイスに対応する、それぞれのレイヤ単位変調パラメータとコードワード単位コードレート・パラメータとを定義する。ブロック１００２に記載された行為を完了すると、方法は、その後、終了する前に、ブロック１００４、ブロック１００６、またはブロック１００８のうちの１つまたは複数に進み得る。ブロック１００４において、ブロック１００２において定義されたそれぞれのレイヤ単位変調パラメータとコードワード単位コードレート・パラメータとに対応するＭＣＳパラメータをシグナリングする。ブロック１００６において、所与のレイヤの基準変調パラメータと、それぞれの残りのレイヤの相対変調パラメータとをシグナリングする。ブロック１００８において、所与のコードワードの基準コードレート・パラメータと、それぞれの残りのコードワードの相対コードレート・パラメータとをシグナリングする。
【００６０】
次に図１１〜図１２を参照すると、本明細書で説明する様々な態様を可能にするために利用され得るそれぞれの装置１１００〜１２００が示されている。装置１１００〜１２００は機能ブロックを含むものとして表されており、その機能ブロックは、プロセッサ、ソフトウェア、またはそれらの組合せ（例えば、ファームウェア）によって実装される機能を表す機能ブロックとすることができることを諒解されたい。
【００６１】
まず図１１を参照すると、ワイヤレス通信ネットワークにおいて通信されるデータの改善された変調及びレイヤ・マッピングを可能にする装置１１００が示されている。装置１１００は、ＵＥ（例えば、ＵＥ１２０）及び／または任意の他の好適なネットワーク・エンティティによって実装され得、それぞれのデータ・ストリームを、上記それぞれのデータ・ストリームに関連する対応するストリーム単位コードレート・パラメータに基づいて符号化して、それぞれの符号化データ・ストリームを取得するためのモジュール１１０２と、それぞれの符号化されたデータ・ストリームを空間レイヤのセットにマッピングして、それぞれのレイヤ・マッピングされたデータ・ストリームを取得するためのモジュール１１０４と、それぞれのレイヤ・マッピングされたデータ・ストリームを対応するレイヤ単位変調パラメータに基づいて、変調するためのモジュール１１０６と、を含むことができる。
【００６２】
図１２に、ワイヤレス通信ネットワークにおいて通信されるデータの改善された変調及びレイヤ・マッピングを可能にする別の装置１２００を示す。装置１２００は、ノードＢ（例えば、ノードＢ１１０）及び／または任意の他の好適なネットワーク・エンティティによって実装され得、指定されたネットワーク・デバイスのレイヤ単位変調パラメータのセットとコードワード単位コーディング・レート・パラメータのセットとを定義するモジュール１２０２と、そのレイヤ単位変調パラメータのセットとコードワード単位コーディング・レート・パラメータのセットとを指定されたネットワーク・デバイスにシグナリングするためのモジュール１２０４とを含むことができる。
【００６３】
図１３は、本明細書で説明する機能の様々な態様を実装するために利用され得る別のシステム１３００のブロック図である。一例では、システム１３００はモバイル端末１３０２を含む。図示のように、モバイル端末１３０２は、１つまたは複数のアンテナ１３０８を介して、１つまたは複数の基地局１３０４から（１つまたは複数の）信号を受信し、１つまたは複数の基地局１３０４にその信号を送信することができる。さらに、モバイル端末１３０２は、（１つまたは複数の）アンテナ１３０８から情報を受信する受信機１３１０を備えることができる。一例では、受信機１３１０は、受信した情報を復調する復調器（Ｄｅｍｏｄ）１３１２に動作可能に結合され得る。次いで、復調されたシンボルは、プロセッサ１３１４によって分析され得る。プロセッサ１３１４は、モバイル端末１３０２に関するデータ及び／またはプログラム・コードを記憶することができるメモリ１３１６に結合され得る。さらに、モバイル端末１３０２は、方法８００ならびに／または他の同様の及び適切な方法を実行するために、プロセッサ１３１４を採用することができる。モバイル端末１３０２はまた、送信機１３２０によって（１つまたは複数の）アンテナ１３０８を介して送信するために信号を多重化することができる変調器１３１８を含むことができる。
【００６４】
図１４は、本明細書で説明する機能の様々な態様を実装するために利用され得るシステム１４００のブロック図である。一例では、システム１４００は、基地局またはノードＢ１４０２を含む。図示のように、ノードＢ１４０２は、１つまたは複数の受信（Ｒｘ）アンテナ１４０６を介して１つまたは複数のＵＥ１４０４から（１つまたは複数の）信号を受信し、１つまたは複数の送信（Ｔｘ）アンテナ１４０８を介して１つまたは複数のＵＥ１４０４にその信号を送信することができる。さらに、ノードＢ１４０２は、（１つまたは複数の）受信アンテナ１４０６から情報を受信する受信機１４１０を備えることができる。一例では、受信機１４１０は、受信した情報を復調する復調器（Ｄｅｍｏｄ）１４１２に動作可能に結合され得る。次いで、復調されたシンボルは、プロセッサ１４１４によって分析され得る。プロセッサ１４１４は、コードクラスタ、アクセス端末割当て、それに関するルックアップテーブル、固有のスクランブル系列に関する情報、及び／または他の好適なタイプの情報を記憶することができるメモリ１４１６に結合され得る。さらに、モバイル端末１３０２は、方法９００〜１０００、ならびに／または他の同様の及び適切な方法を実行するために、プロセッサ１３１４を採用することができる。ノードＢ１４０２はまた、送信機１４２０によって（１つまたは複数の）送信アンテナ１４０８を介して送信するために信号を多重化することができる変調器１４１８を含むことができる。
【００６５】
次に図１５を参照すると、様々な態様によるワイヤレス多元接続通信システムの図が与えられている。一例では、アクセス・ポイント１５００（ＡＰ）が複数のアンテナ・グループを含む。図１５に示すように、１つのアンテナ・グループはアンテナ１５０４及び１５０６を含み、別のアンテナ・グループはアンテナ１５０８及び１５１０を含み、別のアンテナ・グループはアンテナ１５１２及び１５１４を含むことができる。図１５では、アンテナ・グループごとに２つのアンテナのみが示されているが、アンテナ・グループごとにより多いまたはより少ないアンテナが利用でき得ることを諒解されたい。別の例では、アクセス端末１５１６はアンテナ１５１２及び１５１４と通信中とすることができ、アンテナ１５１２及び１５１４は、順方向リンク１５２０上でアクセス端末１５１６に情報を送信し、逆方向リンク１５１８上でアクセス端末１５１６から情報を受信する。追加及び／または代替として、アクセス端末１５２２はアンテナ１５０６及び１５０８と通信中とすることができ、アンテナ１５０６及び１５０８は、順方向リンク１５２６上でアクセス端末１５２２に情報を送信し、逆方向リンク１５２４上でアクセス端末１５２２から情報を受信する。周波数分割複信システムでは、通信リンク１５１８、１５２０、１５２４及び１５２６は、通信のための異なる周波数を使用することができる。例えば、順方向リンク１５２０は、逆方向リンク１５１８によって使用される周波数とは異なる周波数を使用することができる。
【００６６】
アンテナの各グループ、及び／またはアンテナが通信するために設計されたエリアは、アクセス・ポイントのセクタと呼ばれることがある。一態様によれば、アンテナ・グループは、アクセス・ポイント１５００によってカバーされるエリアのセクタ中でアクセス端末に通信するように設計され得る。順方向リンク１５２０及び１５２６上の通信では、アクセス・ポイント１５００の送信アンテナは、異なるアクセス端末１５１６及び１５２２に対して順方向リンクの信号対雑音比を改善するためにビーム・フォーミングを利用することができる。また、アクセス・ポイントが、ビーム・フォーミングを使用して、そのカバレージ中にランダムに分散されたアクセス端末に送信するほうが、アクセス・ポイントが単一のアンテナを介してすべてのそのアクセス端末に送信するよりも、隣接セル中のアクセス端末への干渉が小さくなる。
【００６７】
アクセス・ポイント、例えばアクセス・ポイント１５００は、端末と通信するために使用される固定局とすることができ、基地局、ｅＮＢ、アクセス・ネットワーク、及び／または他の好適な用語で呼ばれることもある。さらに、アクセス端末、例えばアクセス端末１５１６または１５２２は、モバイル端末、ユーザ機器、ワイヤレス通信デバイス、端末、ワイヤレス端末、及び／または他の適切な用語で呼ばれることもある。
【００６８】
次に図１６を参照すると、本明細書で説明する様々な態様が機能することができる、例示的なワイヤレス通信システム１６００を示すブロック図が与えられている。一例では、システム１６００は、送信機システム１６１０と受信機システム１６５０とを含む多入力多出力（ＭＩＭＯ）システムである。ただし、送信機システム１６１０及び／または受信機システム１６５０は、例えば、（例えば、基地局上の）複数の送信アンテナが１つまたは複数のシンボルストリームを単一のアンテナデバイス（例えば、移動局）に送信することができる、多入力単出力システムにも適用され得ることを諒解されたい。さらに、本明細書で説明する送信機システム１６１０及び／または受信機システム１６５０の態様は、単出力単入力アンテナシステムに関して利用され得ることを諒解されたい。
【００６９】
一態様によれば、送信機システム１６１０において、いくつかのデータ・ストリームのトラフィック・データがデータソース１６１２から送信（ＴＸ）データ・プロセッサ１６１４に供給される。一例では、各データ・ストリームは、次いで、それぞれの送信アンテナ１６２４を介して送信され得る。さらに、ＴＸデータ・プロセッサ１６１４は、コーディングされたデータを供給するために、それぞれのデータ・ストリーム用に選択された特定のコーディング方式に基づいて、データ・ストリームごとにトラフィック・データをフォーマット化し、符号化し、インターリーブすることができる。一例では、各データ・ストリームのコーディングされたデータは、次いで、ＯＦＤＭ技法を使用してパイロット・データで多重化できる。パイロット・データは、例えば、既知の方法で処理される既知のデータパターンとすることができる。さらに、パイロット・データは、チャネル応答を推定するために受信機システム１６５０において使用され得る。送信機システム１６１０に戻ると、各データ・ストリームの多重化されたパイロット・データ及びコーディングされたデータは、変調シンボルを供給するために、それぞれのデータ・ストリーム用に選択された特定の変調方式（例えば、ＢＰＳＫ、ＱＳＰＫ、Ｍ−ＰＳＫ、またはＭ−ＱＡＭ）に基づいて変調（例えば、シンボルマッピング）され得る。一例では、各データ・ストリームのデータレート、コーディング、及び変調は、プロセッサ１６３０上で実行される命令及び／またはプロセッサ１４３０によって与えられる命令によって判断され得る。
【００７０】
次に、すべてのデータ・ストリームの変調シンボルはＴＸプロセッサ１６２０に供給でき、ＴＸプロセッサ１６２０は、（例えば、ＯＦＤＭ用に）変調シンボルをさらに処理することができる。次いで、ＴＸ  ＭＩＭＯプロセッサ１６２０は、ＮT個の変調シンボルストリームをＮT個のトランシーバ１６２２ａ〜１６２２ｔに供給することができる。一例では、各トランシーバ１６２２は、それぞれのシンボルストリームを受信し、処理して、１つまたは複数のアナログ信号を供給することができる。次いで、各トランシーバ１６２２は、それらのアナログ信号をさらに調整（例えば、増幅、フィルタ処理、及びアップコンバート）して、ＭＩＭＯチャネルを介して送信するのに適した変調信号を供給することができる。したがって、トランシーバ１６２２ａ〜１６２２ｔからのＮT個の変調信号は、次いで、それぞれ、ＮT個のアンテナ１６２４ａ〜１６２４ｔから送信され得る。
【００７１】
別の態様によれば、送信された変調信号は、ＮR個のアンテナ１６５２ａ〜１６５２ｒによって受信機システム１６５０において受信され得る。次いで、各アンテナ１６５２から受信した信号は、それぞれのトランシーバ１６５４に供給され得る。一例では、各トランシーバ１６５４は、それぞれの受信信号を調整（例えば、フィルタ処理、増幅、及びダウンコンバート）し、調整された信号をデジタル化して、サンプルを供給し、次いで、それらのサンプルを処理して、対応する「受信」シンボルストリームを供給することができる。次いで、ＲＸ  ＭＩＭＯ／データ・プロセッサ１６６０は、特定の受信機処理技法に基づいてＮR個のトランシーバ１６５４からＮR個の受信シンボルストリームを受信し、処理して、ＮT個の「検出」シンボルストリームを供給することができる。一例では、各検出シンボルストリームは、対応するデータ・ストリームに関して送信される変調シンボルの推定であるシンボルを含むことができる。次いで、ＲＸプロセッサ１６６０は、各検出シンボルストリームを少なくとも部分的に復調し、デインターリーブし、復号することによって、各シンボルストリームを処理して、対応するデータ・ストリームに関するトラフィック・データを回復することができる。したがって、ＲＸデータ・プロセッサ１６６０による処理は、送信機システム１６１０においてＴＸ  ＭＩＭＯプロセッサ１６２０及びＴＸデータ・プロセッサ１６１４によって実行される処理を補足することができる。ＲＸプロセッサ１６６０は、さらに、処理されたシンボルストリームをデータ・シンク１６６４に供給することができる。
【００７２】
一態様によれば、ＲＸプロセッサ１６６０によって発生されるチャネル応答推定は、受信機において空間／時間処理を実行し、電力レベルを調整し、変調レートまたは方式を変更し、及び／あるいは他の適切なアクションを実行するために使用できる。さらに、ＲＸプロセッサ１６６０は、例えば、検出シンボルストリームの信号対雑音干渉比（ＳＮＲ）などのチャネル特性をさらに推定することができる。次いで、ＲＸプロセッサ１６６０は、推定されたチャネル特性をプロセッサ１６７０に供給することができる。一例では、ＲＸプロセッサ１６６０及び／またはプロセッサ１６７０は、システムに関する「動作」ＳＮＲの推定をさらに導出することができる。次いで、プロセッサ１６７０は、通信リンク及び／または受信データ・ストリームに関する情報を備えることができるチャネル状態情報（ＣＳＩ）を与えることができる。この情報は、例えば、動作ＳＮＲを含むことができる。次いで、ＣＳＩは、ＴＸデータ・プロセッサ１６１８によって処理し、変調器１６８０によって変調し、トランシーバ１６５４ａ〜１６５４ｒによって調整し、送信機システム１６１０に返信することができる。さらに、受信機システム１６５０にあるデータソース１６１６は、ＴＸデータ・プロセッサ１６１８によって処理される追加のデータを与えることができる。
【００７３】
送信機システム１６１０に戻ると、次いで、受信機システム１６５０からの変調信号は、アンテナ１６２４によって受信し、トランシーバ１６２２によって調整し、復調器１６４０によって復調し、ＲＸデータ・プロセッサ１６４２によって処理して、受信機システム１６５０によって報告されたＣＳＩを回復することができる。一例では、報告されたＣＳＩを、次いで、１つまたは複数のデータ・ストリームのために使用すべきデータレートならびにコーディング及び変調方式を判断するために、プロセッサ１６３０に供給し、使用することができる。次いで、判断された符号化及び変調方式を、受信機システム１６５０への後の送信における量子化及び／または使用のためにトランシーバ１６２２に供給することができる。追加及び／または代替として、プロセッサ１６３０が、報告されたＣＳＩを使用して、ＴＸデータ・プロセッサ１６１４及びＴＸ  ＭＩＭＯプロセッサ１６２０のための様々な制御を発生することができる。別の例では、ＲＸデータ・プロセッサ１６４２によって処理されるＣＳＩ及び／または他の情報をデータ・シンク１６４４に供給することができる。
【００７４】
一例では、送信機システム１６１０にあるプロセッサ１６３０及び受信機システム１６５０にあるプロセッサ１６７０は、それらのそれぞれのシステムにおいて動作を指令する。さらに、送信機システム１６１０にあるメモリ１６３２及び受信機システム１６５０にあるメモリ１６７２は、それぞれ、プロセッサ１６３０及び１６７０によって使用されるプログラム・コード及びデータの記憶域を与えることができる。さらに、受信機システム１６５０において、様々な処理技法を使用して、ＮR個の受信信号を処理して、ＮT個の送信シンボルストリームを検出することができる。これらの受信機処理技法は、等化技法とも呼ばれることがある空間及び時空間受信機処理技法、及び／または「逐次干渉消去」もしくは「逐次消去」受信機処理技法とも呼ばれることがある「逐次ヌル化／等化及び干渉消去」受信機処理技法を含むことができる。
【００７５】
本明細書で説明した態様は、ハードウェア、ソフトウェア、ファームウェア、ミドルウェア、マイクロコード、またはそれらの任意の組合せで実装され得ることを理解されたい。システム及び／または方法は、ソフトウェア、ファームウェア、ミドルウェアまたはマイクロコード、プログラム・コードまたはコードセグメントにおいて実装した場合、記憶構成要素などの機械可読媒体に記憶され得る。コードセグメントは、プロシージャ、関数、サブプログラム、プログラム、ルーチン、サブルーチン、モジュール、ソフトウェアパッケージ、クラス、または命令、データ構造もしくはプログラムステートメントの任意の組合せを表すことができる。コードセグメントは、情報、データ、引数、パラメータ、またはメモリ内容をパス及び／または受信することによって、別のコードセグメントまたはハードウェア回路に結合され得る。情報、引数、パラメータ、データなどは、メモリ共有、メッセージ・パッシング、トークン・パッシング、ネットワーク送信などを含む、適切な手段を使用してパス、フォワーディング、または送信することができる。
【００７６】
ソフトウェア実装の場合、本明細書で説明する技法は、本明細書で説明する機能を実行するモジュール（例えば、プロシージャ、関数など）を用いて実装され得る。ソフトウェアコードは、メモリユニットに記憶され、プロセッサによって実行され得る。メモリユニットは、プロセッサの内部またはプロセッサの外部に実装でき、その場合、当技術分野で知られているように様々な手段によってプロセッサに通信可能に結合され得る。
【００７７】
上記の説明は１つまたは複数の態様の例を含む。もちろん、上述の態様について説明する目的で、構成要素または方法のあらゆる考えられる組合せについて説明することは不可能であるが、当業者なら、様々な態様の多数のさらなる組合せ及び置換が可能であることを認識できよう。したがって、説明した態様は、添付の特許請求の範囲の趣旨及び範囲内に入るすべてのそのような改変形態、変更形態、及び変形形態を包含するものとする。さらに、「含む（include）」という用語は、発明を実施するための形態または特許請求の範囲のいずれかにおいて使用される限り、「備える（comprising）」という用語を採用すると請求項における移行語と解釈されるように「備える（comprising）」と同様に包括的なものとする。さらに、発明を実施するための形態または特許請求の範囲のいずれかで使用される「または（or）」という用語は、「非排他的なまたは（non-exclusive or）」を意味するものとする。
以下に、本願出願の当初の特許請求の範囲に記載された発明を付記する。
〔１〕
１つまたは複数の発信データ・ストリームと、前記１つまたは複数の発信データ・ストリームを通信するように構成された空間レイヤのセットとを識別することと、
前記１つまたは複数の発信データ・ストリームに関連するそれぞれのストリーム単位コーディング・レートに基づいて、前記１つまたは複数の発信データ・ストリームを符号化し、それによって、１つまたは複数の符号化データ・ストリームを取得することと、
前記１つまたは複数の符号化データ・ストリームを、空間レイヤの前記セットのうちのそれぞれの空間レイヤにマッピングし、それによって、レイヤ・マッピングされたデータ・ストリームのセットを取得することと、
レイヤ・マッピングされたデータ・ストリームの前記セットを、それぞれのレイヤ単位変調方式に基づいて変調することと、
を備える方法。
〔２〕
空間レイヤの前記セットが、それぞれの関連するアンテナに対応する〔１〕に記載の方法。
〔３〕
空間レイヤの前記セットが複数の関連するアンテナ上で規定されたそれぞれのビームに対応する〔１〕に記載の方法。
〔４〕
関連するネットワークから、前記それぞれのストリーム単位コーディング・レートと前記それぞれのレイヤ単位変調方式とを受信することをさらに備える〔１〕に記載の方法。
〔５〕
前記受信することが、前記それぞれのストリーム単位コーディング・レートと前記それぞれのレイヤ単位変調方式とを、前記関連するネットワークからのアップリンク・グラント・メッセージ中で受信することをさらに備える〔４〕に記載の方法。
〔６〕
前記受信することが、少なくとも１つの発信データ・ストリームのストリーム単位コーディング・レートと、空間レイヤの前記セットのうちの少なくとも１つの空間レイヤのレイヤ単位変調方式とに対応する、変調及びコーディング方式（ＭＣＳ）情報を受信することを含む〔４〕に記載の方法。
〔７〕
前記受信することが、空間レイヤの前記セットのうちの少なくとも１つの指定された空間レイヤの変調方式と、空間レイヤの前記セットのうちの残りの空間レイヤの相対変調方式情報とを受信することを備える〔４〕の方法。
〔８〕
前記相対変調方式情報が、それぞれの１ビットパラメータを備える〔７〕に記載の方法。
〔９〕
前記それぞれの１ビットパラメータが、空間レイヤの前記セットのうちの少なくとも１つの指定された空間レイヤの変調次数、または空間レイヤの前記セットのうちの少なくとも１つの指定された空間レイヤの前記変調次数よりも小さい所定の程度の変調次数からなるグループから選択された変調次数を示す〔８〕に記載の方法。
〔１０〕
前記受信することが、少なくとも１つの指定された発信データ・ストリームのコーディング・レートと、残りの発信データ・ストリームの相対コーディング・レート情報とを受信することを備える〔４〕に記載の方法。
〔１１〕
前記１つまたは複数の発信データ・ストリームがシングル・コードワード伝送方式に対応する〔１〕に記載の方法。
〔１２〕
前記１つまたは複数の発信データ・ストリームがマルチ・コードワード伝送方式に対応する〔１〕に記載の方法。
〔１３〕
ワイヤレス通信装置であって、
１つまたは複数の発信データ・ストリームと、前記１つまたは複数の発信データ・ストリームを通信するように構成された空間レイヤのセットとに関係するデータを記憶するメモリと、
前記１つまたは複数の発信データ・ストリームを、前記１つまたは複数の発信データ・ストリームに関連するそれぞれのストリーム単位コーディング・レートに基づいて符号化して、１つまたは複数の符号化データ・ストリームを取得し、前記１つまたは複数の符号化データ・ストリームを空間レイヤの前記セットのうちのそれぞれの空間レイヤにマッピングして、レイヤ・マッピングされたデータ・ストリームのセットを取得し、それぞれのレイヤ単位変調方式に基づいて、レイヤ・マッピングされたデータ・ストリームの前記セットを変調するように構成されたプロセッサと、
を備えるワイヤレス装置。
〔１４〕
空間レイヤの前記セットが、それぞれの関連するアンテナのうちの少なくとも１つ、または複数の関連するアンテナ上で規定されたそれぞれのビームに対応する〔１３〕に記載のワイヤレス通信装置。
〔１５〕
前記プロセッサが、関連するネットワークから、前記それぞれのストリーム単位コーディング・レートと前記それぞれのレイヤ単位変調方式とを受信するようにさらに構成された〔１３〕に記載のワイヤレス通信装置。
〔１６〕
前記プロセッサが、少なくとも１つの発信データ・ストリームのストリーム単位コーディング・レートと、空間レイヤの前記セットのうちの少なくとも１つの空間レイヤのレイヤ単位変調方式とに対応する、変調及びコーディング方式（ＭＣＳ）情報を受信するようにさらに構成された〔１５〕に記載のワイヤレス通信装置。
〔１７〕
前記プロセッサが、空間レイヤの前記セットのうちの少なくとも１つの指定された空間レイヤの変調方式と、空間レイヤの前記セットのうちの残りの空間レイヤの相対変調方式情報とを受信するようにさらに構成された〔１５〕に記載のワイヤレス通信装置。
〔１８〕
前記プロセッサが、少なくとも１つの指定された発信データ・ストリームのコーディング・レートと、残りの発信データ・ストリームの相対コーディング・レート情報とを受信するようにさらに構成された〔１５〕に記載のワイヤレス通信装置。
〔１９〕
それぞれのデータ・ストリームを、前記それぞれのデータ・ストリームに関連する対応するストリーム単位コードレート・パラメータに基づいて符号化して、それぞれの符号化データ・ストリームを取得するための手段と、
前記それぞれの符号化データ・ストリームを空間レイヤのセットにマッピングして、それぞれのレイヤ・マッピングされたデータ・ストリームを取得するための手段と、
前記それぞれのレイヤ・マッピングされたデータ・ストリームを、対応するレイヤ単位変調パラメータに基づいて変調するための手段と、
を備える装置。
〔２０〕
関連するネットワークから、前記ストリーム単位コードレート・パラメータと前記レイヤ単位変調パラメータとを受信するための手段をさらに備える〔１９〕に記載の装置。
〔２１〕
受信するための前記手段が、前記ストリーム単位コードレート・パラメータと前記レイヤ単位変調パラメータとを、前記関連するネットワークからのアップリンク・グラント・メッセージ中で受信するための手段を備える〔２０〕に記載の装置。
〔２２〕
受信するための前記手段が、少なくとも１つのデータ・ストリームのストリーム単位コードレート・パラメータと、少なくとも１つの空間レイヤのレイヤ単位変調パラメータとに対応する、変調及びコーディング方式（ＭＣＳ）情報を受信するための手段を備える〔２０〕に記載の装置。
〔２３〕
受信するための前記手段が、少なくとも１つの指定された空間レイヤの変調パラメータと、前記指定された空間レイヤとは異種のそれぞれの空間レイヤの相対変調パラメータとを受信するための手段を備える〔２０〕に記載の装置。
〔２４〕
受信するための前記手段が、少なくとも１つの指定されたデータ・ストリームのコードレート・パラメータと、それぞれの残りのデータ・ストリームの相対コードレート・パラメータとを受信するための手段を備える〔２０〕に記載の装置。
〔２５〕
コンピュータに、それぞれのデータ・ストリームを、前記それぞれのデータ・ストリームに関連する対応するストリーム単位コードレート・パラメータに基づいて符号化して、それぞれの符号化データ・ストリームを取得することを行わせるためのコードと、
コンピュータに、前記それぞれの符号化データ・ストリームを空間レイヤのセットにマッピングして、それぞれのレイヤ・マッピングされたデータ・ストリームを取得することを行わせるためのコードと、
コンピュータに、前記それぞれのレイヤ・マッピングされたデータ・ストリームを、対応するレイヤ単位変調パラメータに基づいて変調させるためのコードと、
を備えるコンピュータ可読媒体を備えるコンピュータ・プログラム製品。
〔２６〕
前記コンピュータ可読媒体が、コンピュータに、関連するネットワークから、前記ストリーム単位コードレート・パラメータと前記レイヤ単位変調パラメータとを受信させるためのコードをさらに備える〔２５〕のコンピュータ・プログラム製品。
〔２７〕
コンピュータに受信させるための前記コードが、コンピュータに、前記ストリーム単位コードレート・パラメータと前記レイヤ単位変調パラメータとを、関連するネットワークからのアップリンク・グラント・メッセージ中で受信させるためのコードを備える〔２６〕に記載のコンピュータ・プログラム製品。
〔２８〕
コンピュータに受信させるための前記コードが、コンピュータに、少なくとも１つのデータ・ストリームのストリーム単位コードレート・パラメータと、少なくとも１つの空間レイヤのレイヤ単位変調パラメータとに対応する、変調及びコーディング方式（ＭＣＳ）情報を受信させるためのコードを備える〔２６〕に記載のコンピュータ・プログラム製品。
〔２９〕
コンピュータに受信させるための前記コードが、コンピュータに、少なくとも１つの指定された空間レイヤの変調パラメータと、前記指定された空間レイヤとは異種のそれぞれの空間レイヤの相対変調パラメータとを受信させるためのコードを備える〔２６〕に記載のコンピュータ・プログラム製品。
〔３０〕
コンピュータに受信させるための前記コードが、コンピュータに、少なくとも１つの指定されたデータ・ストリームのコードレート・パラメータと、それぞれの残りのデータ・ストリームの相対コードレート・パラメータとを受信させるためのコードを備える〔２６〕に記載のコンピュータ・プログラム製品。
〔３１〕
関連するネットワーク・デバイスと、前記関連するネットワーク・デバイスによって利用される通信方式に関連する１つまたは複数のコードワードと、前記関連するネットワーク・デバイスによって採用されるそれぞれの空間レイヤとを識別することと、
前記関連するネットワーク・デバイスに対応する、それぞれのレイヤ単位変調パラメータとコードワード単位コードレート・パラメータとを定義することと、
前記それぞれのレイヤ単位変調パラメータと前記コードワード単位コードレート・パラメータとを前記関連するネットワーク・デバイスにシグナリングすることと
を備える、方法。
〔３２〕
前記それぞれの空間レイヤが、前記関連するネットワーク・デバイスにあるそれぞれのアンテナのうちの少なくとも１つ、または前記関連するネットワーク・デバイスにある複数のアンテナ上で規定されたビームに対応する〔３１〕に記載の方法。
〔３３〕
前記シグナリングすることが、前記それぞれのレイヤ単位変調パラメータと前記コードワード単位コードレート・パラメータとを、前記関連するネットワーク・デバイスにアップリンク・グラント・メッセージ中でシグナリングすることを備える〔３１〕に記載の方法。
〔３４〕
前記シグナリングすることが、前記関連するネットワーク・デバイスによって利用される前記通信方式に関連する少なくとも１つのコードワードのコードワード単位コードレート・パラメータと、前記関連するネットワーク・デバイスによって採用される少なくとも１つの空間レイヤのレイヤ単位変調パラメータとを備える変調及びコーディング方式（ＭＣＳ）情報をシグナリングすることを備える〔３１〕に記載の方法。
〔３５〕
前記シグナリングすることは、前記関連するネットワーク・デバイスによって採用される空間レイヤの数が、前記関連するネットワーク・デバイスによって利用される前記通信方式に関連するコードワードの数より多いと判断すると、ＭＣＳ情報とともに補足レイヤ単位変調パラメータをシグナリングすることをさらに備える〔３４〕に記載の方法。
〔３６〕
前記シグナリングすることが、前記関連するネットワーク・デバイスによって採用される少なくとも１つの指定された空間レイヤの変調方式を示す基準変調パラメータと、前記少なくとも１つの指定された空間レイヤとは異種の前記関連するネットワーク・デバイスによって採用されるそれぞれの空間レイヤの相対変調パラメータとをシグナリングすることを備える〔３１〕に記載の方法。
〔３７〕
前記相対変調パラメータが、それぞれの１ビット値を備える〔３６〕に記載の方法。
〔３８〕
前記それぞれの１ビット値が、前記関連するネットワーク・デバイスによって採用される前記少なくとも１つの指定された空間レイヤの変調次数、または前記関連するネットワーク・デバイスによって採用される前記少なくとも１つの指定された空間レイヤの前記変調次数よりも小さい所定の程度の変調次数からなるグループから選択された変調次数を示す、〔３７〕に記載の方法。
〔３９〕
前記シグナリングすることが、前記関連するネットワーク・デバイスによって利用される前記通信方式に関連する少なくとも１つの指定されたコードワードの基準コードレート・パラメータと、前記少なくとも１つの指定されたコードワードとは異種の前記関連するネットワーク・デバイスによって利用される前記通信方式に関連するそれぞれのコードワードの相対コードレート・パラメータとをシグナリングすることを備える〔３１〕に記載の方法。
〔４０〕
ワイヤレス通信装置であって、
ネットワーク・デバイスに関するデータと、前記ネットワーク・デバイスによって利用される通信方式に関連する１つまたは複数のコードワードと、前記ネットワーク・デバイスによって採用されるそれぞれの空間レイヤとを記憶するメモリと、
前記ネットワーク・デバイスに対応する、それぞれのレイヤ単位変調パラメータとコードワード単位コードレート・パラメータとを定義し、前記それぞれのレイヤ単位変調パラメータと前記コードワード単位コードレート・パラメータとを前記ネットワーク・デバイスにシグナリングするように構成されたプロセッサと
を備える、ワイヤレス通信装置。
〔４１〕
前記プロセッサが、前記それぞれのレイヤ単位変調パラメータと前記コードワード単位コードレート・パラメータとをアップリンク・グラント・メッセージ中でシグナリングするようにさらに構成された〔４０〕に記載のワイヤレス通信装置。
〔４２〕
前記プロセッサが、前記ネットワーク・デバイスによって利用される前記通信方式に関連する少なくとも１つのコードワードのコードワード単位コードレート・パラメータと、前記ネットワーク・デバイスによって採用される少なくとも１つの空間レイヤのレイヤ単位変調パラメータとを備える変調及びコーディング方式（ＭＣＳ）情報をシグナリングするようにさらに構成された〔４０〕に記載のワイヤレス通信装置。
〔４３〕
前記プロセッサは、前記ネットワーク・デバイスによって採用される空間レイヤの数が、前記ネットワーク・デバイスによって利用される前記通信方式に関連するコードワードの数よりも多いと判断すると、前記ＭＣＳ情報とともに補足レイヤ単位変調パラメータをシグナリングするようにさらに構成された〔４２〕に記載のワイヤレス通信装置。
〔４４〕
前記プロセッサが、前記ネットワーク・デバイスによって採用される少なくとも１つの指定された空間レイヤの変調方式を示す基準変調パラメータと、前記少なくとも１つの指定された空間レイヤとは異種の前記ネットワーク・デバイスによって採用されるそれぞれの空間レイヤの相対変調パラメータとをシグナリングするようにさらに構成された〔４０〕に記載のワイヤレス通信装置。
〔４５〕
前記プロセッサが、前記ネットワーク・デバイスによって利用される前記通信方式に関連する少なくとも１つの指定されたコードワードの基準コードレート・パラメータと、前記少なくとも１つの指定されたコードワードとは異種の前記ネットワーク・デバイスによって利用される前記通信方式に関連するそれぞれのコードワードの相対コードレート・パラメータとをシグナリングするようにさらに構成された〔４０〕に記載のワイヤレス通信装置。
〔４６〕
指定されたネットワーク・デバイスのレイヤ単位変調パラメータのセットとコードワード単位コーディング・レート・パラメータのセットとを定義するための手段と、
レイヤ単位変調パラメータの前記セットとコードワード単位コーディング・レート・パラメータの前記セットとを前記指定されたネットワーク・デバイスにシグナリングするための手段と
を備える、装置。
〔４７〕
シグナリングするための前記手段が、前記指定されたネットワーク・デバイスによって利用される少なくとも１つのコードワードのコードワード単位コーディング・レート・パラメータと、前記指定されたネットワーク・デバイスによって採用される少なくとも１つの空間レイヤのレイヤ単位変調パラメータとを備える変調及びコーディング方式（ＭＣＳ）情報をシグナリングするための手段を備える〔４６〕に記載の装置。
〔４８〕
シグナリングするための前記手段が、前記指定されたネットワーク・デバイスによって採用される空間レイヤの数が、前記指定されたネットワーク・デバイスによって利用されるコードワードの数よりも多いことを判断すると、前記ＭＣＳ情報とともに補足レイヤ単位変調パラメータをシグナリングするための手段を備える〔４７〕に記載の装置。
〔４９〕
シグナリングするための前記手段が、前記指定されたネットワーク・デバイスによって採用される少なくとも１つの指定された空間レイヤの変調方式を示す基準変調パラメータと、前記少なくとも１つの指定された空間レイヤとは異種の前記指定されたネットワーク・デバイスによって採用されるそれぞれの空間レイヤの相対変調パラメータとをシグナリングするための手段を備える〔４７〕に記載の装置。
〔５０〕
シグナリングするための前記手段が、前記指定されたネットワーク・デバイスによって利用される少なくとも１つの指定されたコードワードの基準コーディング・レート・パラメータと、前記少なくとも１つの指定されたコードワードとは異種の前記指定されたネットワーク・デバイスによって利用されるそれぞれのコードワードの相対コーディング・レート・パラメータとをシグナリングするための手段を備える〔４７〕に記載の装置。
〔５１〕
コンピュータに、指定されたネットワーク・デバイスのレイヤ単位変調パラメータのセットとコードワード単位コーディング・レート・パラメータのセットとを定義させるためのコードと、
コンピュータに、レイヤ単位変調パラメータの前記セットとコードワード単位コーディング・レート・パラメータの前記セットとを前記指定されたネットワーク・デバイスにシグナリングさせるためのコードと
を備えるコンピュータ可読媒体を備えるコンピュータ・プログラム製品。
〔５２〕
コンピュータにシグナリングさせるための前記コードが、コンピュータに、前記指定されたネットワーク・デバイスによって利用される少なくとも１つのコードワードのコードワード単位コーディング・レート・パラメータと、前記指定されたネットワーク・デバイスによって採用される少なくとも１つの空間レイヤのレイヤ単位変調パラメータとを備える変調及びコーディング方式（ＭＣＳ）情報をシグナリングさせるためのコードを備える〔５１〕に記載のコンピュータ・プログラム製品。
〔５３〕
コンピュータにシグナリングさせるための前記コードが、コンピュータに、前記指定されたネットワーク・デバイスによって採用される少なくとも１つの指定された空間レイヤの変調方式を示す基準変調パラメータと、前記少なくとも１つの指定された空間レイヤとは異種の前記指定されたネットワーク・デバイスによって採用されるそれぞれの空間レイヤの相対変調パラメータとをシグナリングさせるためのコードを備える〔５１〕に記載のコンピュータ・プログラム製品。
〔５４〕
コンピュータにシグナリングさせるための前記コードが、コンピュータに、前記指定されたネットワーク・デバイスによって利用される少なくとも１つの指定されたコードワードの基準コーディング・レート・パラメータと、前記少なくとも１つの指定されたコードワードとは異種の前記指定されたネットワーク・デバイスによって利用されるそれぞれのコードワードの相対コーディング・レート・パラメータとをシグナリングさせるためのコードを備える〔５１〕に記載のコンピュータ・プログラム製品。
【図１】
0005623432.tif 000002
【図２】
0005623432.tif 000003
【図３】
0005623432.tif 000004
【図４】
0005623432.tif 000005
【図５】
0005623432.tif 000006
【図６】
0005623432.tif 000007
【図７】
0005623432.tif 000008
【図８】
0005623432.tif 000009
【図９】
0005623432.tif 000010
【図１０】
0005623432.tif 000011
【図１１】
0005623432.tif 000012
【図１２】
0005623432.tif 000013
【図１３】
0005623432.tif 000014
【図１４】
0005623432.tif 000015
【図１５】
0005623432.tif 000016
【図１６】
0005623432.tif 000017